(57)【要約】      （修正有）【課題】加熱効率を高める押出機を提供する。【解決手段】押出機のシリンダ１２外周における合成樹脂溶融域Ａ、移送域Ｂ、混練攪拌域Ｃに、電磁誘導ヒーター１６が配置されている。電磁誘導ヒーターによる電磁誘導作用により、シリンダの少なくとも合成樹脂溶融域内部を集中的に加熱でき、熱損失を少なくでき、急速加熱する事ができ、熱変換効率を８０〜９０パーセントとし、加熱効率を高めることができる。【選択図】図２
0003184070.tif 000002
【実用新案登録請求の範囲】
【請求項１】
合成樹脂原料を溶融、移送、混練攪拌して成形機に押し出すための押出機におけるシリンダ外周に設けられた加熱ヒーターのうち、少なくとも合成樹脂原料投入口近傍の合成樹脂溶融域に位置する加熱ヒーターは、電磁誘導ヒーターとしてあることを特徴とする押出機。
【請求項２】
前記電磁誘導ヒーターは銅線で、前記シリンダ外周における少なくとも合成樹脂原料溶融域を被覆する保温材層上に複数回巻き回されてなることを特徴とする請求項１記載の押出機。
【請求項３】
前記シリンダの外周における少なくとも合成樹脂溶融域に、前記電磁誘導ヒーターが前記保温材上にＦＲＰシートを介在させて巻き付けられていることを特徴とする請求項２記載の押出機。
【請求項４】
前記成形機は、インフレーションフィルム成形機、ブロー成形機、ペレタイザのうちの一種とすることを特徴とする請求項１、２または３記載の押出機。
【請求項５】
前記シリンダは合成樹脂原料ホッパー寄りから下流にわたり、シリンダの長手軸線に沿って合成樹脂溶融域、移送域、混練攪拌域に区分され、少なくとも合成樹脂溶融域に電磁誘導ヒーターが所定巻き数で巻き付けられ、溶融域の温度は混練攪拌域の温度より高くとなるように、電磁誘導ヒーターへの印加電流を制御する制御回路が設けられていることを特徴とする請求項１、２、３または４記載の押出機。
【請求項６】
前記制御回路は、シリンダの少なくとも合成樹脂溶融域のシリンダ内の温度を検出する温度センサーに電気接続し、インバータ回路を介して、検出された温度に基づいて、設定温度に対応する電流を合成樹脂溶融域に巻き付けた電磁誘導ヒーターに印加する出力回路を有することを特徴とする請求項５記載の押出機。
【請求項７】
前記合成樹脂溶融域、移送域、混練攪拌域の境界箇所に対応するシリンダの外面には、環状のフランジ部が、仕切体として張り出して設けられていることを特徴とする請求項５または６記載の押出機。
【考案の詳細な説明】
【技術分野】
【０００１】  本考案は、押出機に関する。
【背景技術】
【０００２】  一般に、合成樹脂原料は合成反応により製造された原料の改質、物性あるいは機能性の改善等、あるいは成形を目的として、スクリュ式押出機により溶融混練され押出す。【０００３】  スクリュ式押出機では、合成樹脂のペレットをスクリュウの回転でホッパーからシリンダ内で成形装置に向けて移送し、この移送中に、シリンダ外周に配置されたバンドヒーターのような電熱ヒーターでシリンダを加熱し、移送中の合成樹脂のペレットを混練しながら溶融して成形機の成形ダイ内に押出す。
【考案の概要】
【考案が解決しようとする課題】
【０００４】  従来のスクリュ式押出機は、以上のように構成されていたため、次のような課題が存在している。
すなわち、電熱ヒーターでは赤熱部を持って熱伝導によって合成樹脂のペレットを加熱するため、加熱効率が悪く、機械周囲を加熱高温とし、作業環境が悪化し、空調する必要がある。【０００５】  本考案は以上のような課題を解決するためになされたものであり、特に、電磁誘導ヒーターを採用することにより、シリンダ内部を集中的に加熱し、熱損失を少なくし、急速加熱し、熱変換効率を８０〜９０パーセントとし、加熱効率を高め、環境にやさしく、経済効果を高めることを主目的とする。
【課題を解決するための手段】
【０００６】  前記課題を解決するために、特定本考案は、合成樹脂を溶融し成形機に押し出すための押出機におけるシリンダ外周に設けられた加熱ヒーターのうち、少なくとも合成樹脂原料投入口近傍の合成樹脂溶融域に位置する加熱ヒーターは、電磁誘導ヒーターとしてあることを特徴とする押出機とする。
【考案の効果】
【０００７】  本考案による押出機は、以上のように構成されているため、次のような効果を得ることができる。
すなわち、電磁誘導ヒーターによる電磁誘導作用により、シリンダの少なくとも合成樹脂溶融域内部を集中的に加熱でき、熱損失を少なくでき、急速加熱する事ができ、熱変換効率を８０〜９０パーセントとし、加熱効率を高めることができる。この結果、環境にやさしく、経済効果を高めることができる。
請求項２記載の考案では、前記効果に加えて、前記電磁誘導ヒーターは銅線で、前記シリンダ外周における少なくとも合成樹脂原料溶融域を被覆する保温材層上に複数回巻回されてなる場合には、銅線は直接シリンダに接触せず、加熱で断線するのを未然に防止し、外部への熱の拡散を抑制し、より加熱効率を高めることができる。
請求項３記載の考案では、前記シリンダの外周における合成樹脂溶融域、移送域、混練攪拌域に、前記電磁誘導ヒーターが前記保温材上にＦＲＰシートを介在させて巻き付けられている場合には、前記ＦＲＰシートで、前記銅線は深く保護材層内に埋没するのを防止でき、銅線の外周面を適切に露出でき、所望の電気誘導磁界をシリンダ内部に形成できる。
請求項５記載の考案においては、前記シリンダは合成樹脂原料ホッパー寄りから下流にわたり、シリンダの長手軸線に沿って合成樹脂溶融域、移送域、混練攪拌域に区分され、少なくとも合成樹脂溶融域に電磁誘導ヒーターが所定巻き数で巻き付けられ、混練域の温度は溶融域の温度より低めとなるように、電磁誘導ヒーターへの印加電流を制御する制御回路が設けられていることにより、前記特定考案の効果に加えて、少なくとも合成樹脂溶融域の温度を、電磁誘導ヒーターの巻き数により、容易に調整でき、合成樹脂原料のペレットを適切に溶融、移送、混練攪拌でき、成形機に移送できる。
殊に請求項６記載の考案では、請求項５記載の考案の効果に加えて、前記制御回路は、シリンダの少なくとも合成樹脂溶融域のシリンダ内の温度を検出する温度センサーに電気接続し、インバータ回路を介して、検出された温度に基づいて、設定温度に対応する電流を少なくとも合成樹脂溶融域に巻き付けた電磁誘導ヒーターに印加する出力回路を有することにより、最適な加熱条件を実現する事が適切に出来る。
【図面の簡単な説明】
【０００８】
【図１】押出機の概略図である。
【図２】その要部概略図である。
【考案を実施するための最良の形態】
【０００９】  この形態は、請求項１乃至７記載の考案の代表的な実施の形態であり、図１、図２において、押出機１０は、シリンダ１２に１本のスクリュ１３が回転駆動可能に挿入された押出機本体１１と、前記スクリュ１３駆動用のモータ１４からなる。
前記シリンダ１２外周における合成樹脂原料ホッパー寄りに位置する少なくとも合成樹脂原料溶融域Ａに、電磁誘導ヒーター１６が配置されている。前記電磁誘導ヒーター１６は銅線で、前記シリンダ１２外周における合成樹脂原料ホッパー寄りの合成樹脂原料溶融域Ａを少なくとも被覆する保温材層１８（例えばセラミックシートを前記シリンダ１２の外周における少なくとも合成樹脂原料溶融域Ａに巻き付けてなる）上に複数回巻回されてなる。
前記保温材層１８の外側にＦＲＰシート１７を更に積層し、このＦＲＰシート１７の外周に銅線１６を巻き付けるのが好ましい。前記ＦＲＰシート１７は銅線１６の沈み込み防止層として機能する。図示の形態では、前記シリンダ１２の合成樹脂溶融域Ａ、移送域Ｂ、混練攪拌域Ｃに、電磁誘導ヒーター１６が巻き付けられている。【００１０】  前記成形機は、インフレーションフィルム成形機、ブロー成形機、ペレタイザのうちの一種とする。【００１１】  前記シリンダ１２は合成樹脂原料ホッパーから下流にわたり、シリンダ１２の長手軸線に沿って合成樹脂溶融域Ａ、移送域Ｂ、混練攪拌域Ｃに区分され、合成樹脂溶融域Ａ、移送域Ｂ、混練攪拌域Ｃに電磁誘導ヒーター１６が所定巻き数で巻き付けられ、合成樹脂溶融域Ａの温度は混練攪拌域Ｃの温度より高めとなるように、電磁誘導ヒーター１６への印加電流を制御する制御回路２２が設けられていることが望ましい。前記制御回路２２は、シリンダ１２の少なくとも合成樹脂溶融域内の温度を検出する温度センサー２０に電気接続し、インバータ回路２１を介して、検出された温度に基づいて、設定温度に対応する電流を少なくとも合成樹脂溶融域Ａに巻き付けた電磁誘導ヒーター１６に印加する出力回路２３を有することが好ましい。【００１２】  図示の形態では前記合成樹脂溶融域Ａ、移送域Ｂ、混練攪拌域Ｃの境界箇所に対応するシリンダ１２の外面には、環状のフランジ部Ｄが、仕切体として張り出して設けられ、前記各区域Ａ、Ｂ、Ｃに電磁誘導ヒーター１６が隔離されて巻き付けられる。
【実験例】
【００１３】  シリンダ外径１１０ｍｍで、保護材層の厚さ１５ｍｍ、ＦＲＰシート厚さ０．５ｍｍ、銅線の太さ６ｍｍの電磁誘導ヒーターを合成樹脂溶融域に使用した場合、耐熱温度１２６０℃の耐熱樹脂で銅線を被覆してなる電磁誘導ヒーターの表面温度が５４℃のとき、シリンダ内部は１９１℃となり、電磁誘導ヒーターの表面は高温とならず、合成樹脂を所定温度で溶融できた。
この考案は、射出成形機にも適用でき、実用新案の義手的範囲にはいることは言うまでもない。
【符号の説明】１６  電磁誘導ヒーター
１８  保護材層
【図１】
0003184070.tif 000003
【図２】
0003184070.tif 000004
【手続補正書】
【提出日】平成25年4月15日(2013.4.15)
【手続補正１】
【補正対象書類名】実用新案登録請求の範囲
【補正対象項目名】請求項２
【補正方法】変更
【補正の内容】
【請求項２】
前記電磁誘導ヒーターは銅線で、前記シリンダ外周における少なくとも合成樹脂原料溶融域を被覆する保温材層上に複数回巻回されてなることを特徴とする請求項１記載の押出機。
【手続補正２】
【補正対象書類名】図面
【補正対象項目名】図１
【補正方法】変更
【補正の内容】
【図１】
0003184070.tif 000005